【手続補正書】
【提出日】平成28年10月14日(2016.10.14)
【手続補正１】
【補正対象書類名】特許請求の範囲
【補正対象項目名】全文
【補正方法】変更
【補正の内容】
【特許請求の範囲】
【請求項１】
遊技中に第１抽選契機が発生すると、所定の内部抽選を行った上で第１変動時間にわたり第１特別図柄を変動表示させた後、前記内部抽選の結果を表す態様で前記第１特別図柄を停止表示させる第１特別図柄表示手段と、
遊技中に前記第１抽選契機とは別の第２抽選契機が発生すると、前記内部抽選を行った上で第２変動時間にわたり第２特別図柄を変動表示させた後、前記内部抽選の結果を表す態様で前記第２特別図柄を停止表示させる第２特別図柄表示手段と、
前記第１特別図柄又は前記第２特別図柄のいずれか一方が非当選以外の結果を表す態様で停止表示されると、所定の特別遊技を実行する特別遊技実行手段と、
前記第１特別図柄又は前記第２特別図柄のいずれか一方が当選の結果を表す態様で停止表示されると、前記特別遊技実行手段による前記特別遊技が終了する際に、前記第２抽選契機が発生する頻度に関する状態を少なくとも通常の頻度で発生する非時間短縮状態と比較して高い頻度で発生する時間短縮状態に設定する時間短縮状態設定手段と、
前記時間短縮状態設定手段により前記時間短縮状態に設定された後、前記第１特別図柄表示手段及び前記第２特別図柄表示手段により行われる変動表示及び停止表示の合計回数が特定回数に達する間に当選の結果を表す態様で停止表示されなかった場合、前記非時間短縮状態に設定変更する非時間短縮状態設定手段と、
前記時間短縮状態である際に前記第１特別図柄又は前記第２特別図柄のいずれか一方が当選の結果を表す態様で停止表示されたことに起因して開始される前記時間短縮状態での特定遊技の中で前記内部抽選の結果が当選となることに対する期待値を、前記非時間短縮状態である際に前記第１特別図柄又は前記第２特別図柄のいずれか一方が当選の結果を表す態様で停止表示されたことに起因して開始される前記特定遊技の中での前記期待値よりも高くする期待値設定手段と
を備えた遊技機。
【請求項２】
請求項１に記載の遊技機において、
前記特別遊技実行手段による前記特別遊技が終了する際に、前記非時間短縮状態設定手段により前記非時間短縮状態に設定変更されるまでの前記特定回数を設定する特定回数設定手段
をさらに備え、
前記期待値設定手段は、
前記時間短縮状態である際に前記第１特別図柄又は前記第２特別図柄のいずれか一方が当選の結果を表す態様で停止表示されたことに起因して前記特定回数設定手段により設定される前記特定回数を、前記非時間短縮状態である際に前記第１特別図柄又は前記第２特別図柄のいずれか一方が当選の結果を表す態様で停止表示されたことに起因して前記特定回数設定手段により設定される前記特定回数よりも多く設定することで、前記時間短縮状態である際に前記第１特別図柄又は前記第２特別図柄のいずれか一方が当選の結果を表す態様で停止表示されたことに起因して開始される前記特定遊技の中での前記期待値を、前記非時間短縮状態である際に前記第１特別図柄又は前記第２特別図柄のいずれか一方が当選の結果を表す態様で停止表示されたことに起因して開始される前記特定遊技の中での前記期待値よりも高くすることを特徴とする遊技機。
【請求項３】
請求項２に記載の遊技機において、
前記内部抽選で選択される当選の種類について、少なくとも通常当選種類、第１特定当選種類、第２特定当選種類を含む複数の当選種類を予め規定する当選種類規定手段と、
前記第１特別図柄又は前記第２特別図柄のいずれか一方が前記通常当選種類の結果を表す態様で停止表示されると、前記特別遊技実行手段による前記特別遊技が終了する際に、前記内部抽選において当選となる確率に関する状態を少なくとも通常の確率とした通常状態に設定する通常確率状態設定手段と、
前記第１特別図柄又は前記第２特別図柄のいずれか一方が前記第１特定当選種類又は前記第２特定当選種類の結果を表す態様で停止表示されると、前記特別遊技実行手段による前記特別遊技が終了する際に、前記内部抽選において当選となる確率に関する状態を前記通常状態と比較して高い確率とした高確率状態に設定する高確率状態設定手段と、
前記第１特別図柄又は前記第２特別図柄のいずれか一方が前記第１特定当選種類の結果を表す態様で停止表示されたことで実行される前記特別遊技実行手段による前記特別遊技が終了してから、前記非時間短縮状態設定手段により前記時間短縮状態が前記非時間短縮状態に設定変更されると、前記内部抽選において当選となる確率に関する状態を前記高確率状態で維持しつつ、前記内部抽選により次回の当選が得られるまでに必要とする抽選の合計回数の期待値である当選期待抽選回数を増加させて前記通常状態の場合における前記当選期待抽選回数と同程度に設定する高確率状態当選期待抽選回数増加設定手段と
をさらに備え、
前記期待値設定手段は、
前記時間短縮状態である際に前記第１特別図柄又は前記第２特別図柄のいずれか一方が前記第１特定当選種類の結果を表す態様で停止表示されたことに起因して前記特定回数設定手段により設定される前記特定回数を、前記非時間短縮状態である際に前記第１特別図柄又は前記第２特別図柄のいずれか一方が前記第１特定当選種類の結果を表す態様で停止表示されたことに起因して前記特定回数設定手段により設定される前記特定回数よりも多く設定することで、前記時間短縮状態である際に前記第１特別図柄又は前記第２特別図柄のいずれか一方が当選の結果を表す態様で停止表示されたことに起因して開始される前記特定遊技中での前記期待値を、前記非時間短縮状態である際に前記第１特別図柄又は前記第２特別図柄のいずれか一方が当選の結果を表す態様で停止表示されたことに起因して開始される前記特定遊技中での前記期待値よりも高くすることを特徴とする遊技機。
【請求項４】
請求項３に記載の遊技機において、
前記内部抽選により決定される結果として、非当選以外に属するものとして大当り及び小当りを規定する非当選以外規定手段と、
前記特別遊技実行手段に備えられ、前記内部抽選により決定された結果が前記大当りであり、前記第１特別図柄表示手段又は前記第２特別図柄表示手段により前記大当りの結果を表す態様で前記第１特別図柄又は前記第２特別図柄が停止表示されると、大入賞口を有する特別電動役物を連続して作動させることができる役物連続作動装置の作動に必要な条件とされる条件装置を作動させ、前記大入賞口の開閉を行う大当り遊技を実行する大当り遊技実行手段と、
前記特別遊技実行手段に備えられ、前記内部抽選により決定された結果が前記小当りであり、前記第１特別図柄表示手段又は前記第２特別図柄表示手段により前記小当りの結果を表す態様で前記第１特別図柄又は前記第２特別図柄が停止表示されると、前記条件装置を作動させずに、前記大入賞口の開閉を行う小当り遊技を実行する小当り遊技実行手段と、
前記第１特別図柄又は前記第２特別図柄のいずれか一方の変動表示が開始されるに際して、他方の前記第１特別図柄又は前記第２特別図柄が変動表示中であり、かつ、他方の前記第１特別図柄又は前記第２特別図柄が非当選以外の結果を表す態様で停止表示される予定であるか否かを判定する特別図柄停止表示態様判定手段と、
前記特別図柄停止表示態様判定手段により他方の前記第１特別図柄又は前記第２特別図柄が変動表示中であり、かつ、他方の前記第１特別図柄又は前記第２特別図柄が非当選以外の結果を表す態様で停止表示される予定であると判定された場合、前記第１特別図柄表示手段又は前記第２特別図柄表示手段のいずれか一方に対応する前記内部抽選の結果を非当選又は前記小当りのいずれかに決定させる大当り無抽選手段と
をさらに備え、
前記期待値設定手段は、
前記第１特別図柄又は前記第２特別図柄のいずれか一方が前記第１特定当選種類の結果を表す態様で停止表示されたことで実行される前記特別遊技が終了してから、前記非時間短縮状態設定手段により前記時間短縮状態が前記非時間短縮状態に設定変更されると、前記第２特別図柄表示手段により行われる前記第２特別図柄の変動表示の前記第２変動時間を通常の変動時間よりも延長した延長変動時間として設定した上で、前記第１特別図柄表示手段により行われる前記第１特別図柄の変動表示の前記第１変動時間を前記通常の変動時間として設定することで、前記時間短縮状態である際に前記第１特別図柄又は前記第２特別図柄のいずれか一方が当選の結果を表す態様で停止表示されたことに起因して開始される前記特定遊技中での前記期待値を、前記非時間短縮状態である際に前記第１特別図柄又は前記第２特別図柄のいずれか一方が当選の結果を表す態様で停止表示されたことに起因して開始される前記特定遊技中での前記期待値よりも高くすることを特徴とする遊技機。
【請求項５】
請求項４に記載の遊技機において、
前記内部抽選において当選となる確率に関する状態が前記通常状態であり、かつ、前記第２抽選契機が発生する頻度に関する状態が前記非時間短縮状態である場合、前記内部抽選で非当選となった際に前記第２特別図柄表示手段により行われる前記第２特別図柄の変動表示の前記第２変動時間を前記延長変動時間として設定した上で、前記第１特別図柄表示手段により行われる前記第１特別図柄の変動表示の前記第１変動時間を前記通常の変動時間として設定し、前記内部抽選で非当選以外となった際に前記第２特別図柄表示手段により行われる前記第２特別図柄の変動表示における前記第２変動時間について、前記通常の変動時間として設定される比率を前記延長変動時間として設定される比率よりも高くする通常状態時変動時間設定手段と
をさらに備えた遊技機。
【手続補正２】
【補正対象書類名】明細書
【補正対象項目名】０００６
【補正方法】変更
【補正の内容】
【０００６】
そこで本発明は、遊技に対する興趣の低下を抑制する技術を提供しようとするものである。
【手続補正３】
【補正対象書類名】明細書
【補正対象項目名】００２６
【補正方法】変更
【補正の内容】
【００２６】
遊技に対する興趣の低下を抑制することができる。